(57)【要約】【課題】  電子製品ケース内部に設置されるプラグ装置である伸縮式電源プラグの提供。【解決手段】  該プラグ装置は一体に組み合わされて相対滑動するスライドシートとプラグ本体を包含し、スライドシートは係合方式でケース内に固定され、プラグ本体の側辺に金属片が設けられ、上方に弾性片体が設けられ、該弾性片体に楔形ブロックが設けられ、ケースに更に溝が設けられ、ケース内壁面に位置決めフック部が設けられ、押しボタンを溝を通して該弾性片体に組合せ、押しボタンを押動することによりプラグ本体をスライドシート内でスライドさせて金属片をケースより伸出させ、並びに楔形ブロックと位置決めフック部を相互に係合させて金属片のケースへの縮入を防止し、該押しボタンを圧接する時、楔形ブロックと位置決めフック部の係合を解除し、金属板をケース内に縮入させられる。【選択図】        図２
2007059251.tif 000002
【特許請求の範囲】
【請求項１】
伸縮式電源プラグにおいて、電子製品のケースに溝と孔が開設され、該溝の側辺のケース内部上面に位置決めフック部が設けられ、該電子製品のケース内部にプラグ装置が設けられ、該プラグ装置はプラグ本体とスライドシートを包含し、該スライドシートは上述のケース内部に組み合わされ、該プラグ本体にその前後面より突出する金属板が設けられ、該プラグ本体が可動式に該スライドシートに組み合わされ、該金属板が上述のケースの孔に対応させられ、該プラグ本体の上面に弾性片体が設けられ、該弾性片体の上面に楔形ブロックが設けられ、上述のケースに押しボタンが挿通されて弾性片体に固定されたことを特徴とする、伸縮式電源プラグ。
【請求項２】
請求項１記載の伸縮式電源プラグにおいて、弾性片体に溝孔が設けられ、且つ押しボタンの下面に溝ブロックが設けられ、該溝ブロックは該溝孔に組み合わされて、押しボタンが該弾性片体に固定されることを特徴とする、伸縮式電源プラグ。
【請求項３】
請求項１又は請求項２記載の伸縮式電源プラグにおいて、上述のプラグ装置が電子製品内部の角部に設置されたことを特徴とする、伸縮式電源プラグ。
【請求項４】
請求項３記載の伸縮式電源プラグにおいて、電子製品のケース内部上面と側面にそれぞれ位置決め部が設けられ、且つスライドシートの側面に垂直方向と水平方向に位置する係合部が設けられ、該係合部が該位置決め部に組み合わされてプラグ本体とスライドシートの組合せが完成することを特徴とする、伸縮式電源プラグ。
【請求項５】
請求項４記載の伸縮式電源プラグにおいて、係合部に弾性部品が設けられ、該弾性部品の前方にブロック体が設けられたことを特徴とする、伸縮式電源プラグ。
【発明の詳細な説明】
【技術分野】
【０００１】
本発明は一種の伸縮式電源プラグに係り、特に電子製品ケースに組み合わされ、スライド方式で電源プラグの電子製品ケースからの伸出或いは電子製品ケース内への縮入を行わせることができる伸縮式電源プラグに関する。
【背景技術】
【０００２】
現在周知の電源プラグ形式は、電子製品より電線が延伸され、電線の一端に電源プラグが設けられ、該電源プラグがコンセントに組み合わされることにより、電子製品の必要な電源を提供することができる。周知の電源プラグは依然として使用の目的を達成できるが、不注意から電線をひっかけると、電源プラグがコンセントより脱落し、このため使用上、欠点がある。電源プラグの使用の便利性を増すため、既に電源プラグを電子製品に直接設置したものもあり、このような電源プラグの使用方式は便利ではあるものの、電源プラグが電子製品より露出し、電子製品の外観が明らかに突出し不自然である。
【発明の開示】
【発明が解決しようとする課題】
【０００３】
本発明は上述の電子製品に直接電源プラグが設けられた周知の技術の欠点を鑑み、それを改善するため、本発明者は、電源プラグの電子製品からの露出を防止し、並びに電源プラグの使用の便利性を増すことができる伸縮式電源プラグを提供することを目的とする。
【０００４】
本発明の主要な目的は、一種の伸縮式電源プラグを提供することにあり、それは電源プラグが電子製品内部に設置され、スライドの方式により電源プラグを伸出或いは縮入させることができ、これにより電源プラグの使用の便利性を向上したものとする。
【０００５】
本発明の次の目的は、一種の伸縮式電源プラグを提供することにあり、それは電源プラグがコンセントに挿入される時にプラグの縮入を形成し、プラグを電子製品に縮入させたい時に非常に操作に便利であるものとする。
【０００６】
上述の目的を達成するため、本発明は電子製品ケース内部にプラグ装置を設置し、該プラグ装置は、一体に組み合わされて相対スライドするスライドシートとプラグ本体を包含する。スライドシートは係合方式でケース内に固定され、プラグ本体の側辺には金属片が設けられ、上方に弾性片体が設けられ、該弾性片体に楔形ブロックが設けられ、ケースに更に溝が設けられ、ケース内壁面に位置決めフック部が設けられ、押しボタンを溝を通して該弾性片体に組合せ、押しボタンを押動することによりプラグ本体をスライドシート内でスライドさせて金属片をケースより伸出させ、並びに楔形ブロックと位置決めフック部を相互に係合させて金属片のケースへの縮入を防止し、該押しボタンを圧接する時、楔形ブロックと位置決めフック部の係合を解除し、金属板をケース内に縮入させられる。
【課題を解決するための手段】
【０００７】
請求項１の発明は、伸縮式電源プラグにおいて、電子製品のケースに溝と孔が開設され、該溝の側辺のケース内部上面に位置決めフック部が設けられ、該電子製品のケース内部にプラグ装置が設けられ、該プラグ装置はプラグ本体とスライドシートを包含し、該スライドシートは上述のケース内部に組み合わされ、該プラグ本体にその前後面より突出する金属板が設けられ、該プラグ本体が可動式に該スライドシートに組み合わされ、該金属板が上述のケースの孔に対応させられ、該プラグ本体の上面に弾性片体が設けられ、該弾性片体の上面に楔形ブロックが設けられ、上述のケースに押しボタンが挿通されて弾性片体に固定されたことを特徴とする、伸縮式電源プラグとしている。
請求項２の発明は、請求項１記載の伸縮式電源プラグにおいて、弾性片体に溝孔が設けられ、且つ押しボタンの下面に溝ブロックが設けられ、該溝ブロックは該溝孔に組み合わされて、押しボタンが該弾性片体に固定されることを特徴とする、伸縮式電源プラグとしている。
請求項３の発明は、請求項１又は請求項２記載の伸縮式電源プラグにおいて、上述のプラグ装置が電子製品内部の角部に設置されたことを特徴とする、伸縮式電源プラグとしている。
請求項４の発明は、請求項３記載の伸縮式電源プラグにおいて、電子製品のケース内部上面と側面にそれぞれ位置決め部が設けられ、且つスライドシートの側面に垂直方向と水平方向に位置する係合部が設けられ、該係合部が該位置決め部に組み合わされてプラグ本体とスライドシートの組合せが完成することを特徴とする、伸縮式電源プラグとしている。
請求項５の発明は、請求項４記載の伸縮式電源プラグにおいて、係合部に弾性部品が設けられ、該弾性部品の前方にブロック体が設けられたことを特徴とする、伸縮式電源プラグとしている。
【発明の効果】
【０００８】
本発明の伸縮式電源プラグは以下のような長所を有している。
１．本発明のプラグ本体は電子製品内部に設けられ、並びに使用上、スライド方式によりプラグを電子製品外部に伸出させることができ、これによりプラグの使用の便利性を増し、並びに電子製品に突出した不自然な外観を形成しない。
２．このほか、本発明のプラグ装置は、ロックの機能を具え、且つバネの使用不要で、ゆえに組立コストと組立の複雑性を減らすことができ、プラグ装置使用上、更に便利である。
【発明を実施するための最良の形態】
【０００９】
図１から図３に示されるように、本発明は電子製品（Ａ）とプラグ装置（Ｂ）を包含する。
【００１０】
上述の電子製品（Ａ）はケース１０を包含し、該ケース１０の角部の上面と側面に溝１１と孔１２が開設され、該ケース１０の内側面の溝１１の前半部の両側に位置決めフック部１４が形成され、また、ケース１０の内側面の溝１１の後方と孔１２の下方に位置決め部１３が設けられ、上述の位置決め部１３はＬ形の水平アームと垂直アームを具えている。
【００１１】
上述のプラグ装置（Ｂ）はスライドシート４０、プラグ本体５０と押しボタン６０を具えている。
【００１２】
上述のスライドシート４０はプラットフォーム４１を具え、該プラットフォーム４１に二つの溝孔４２が開設され、且つ該プラットフォーム４１の両側と後端に壁面４３が形成され、上述のプラットフォーム４１の後端の壁面４３は両側よりも高く、並びに後端の壁面４３に二つの矩形孔４４が開設されている。このほか、スライドシート４０のプラットフォーム４１の底部前端と後端の壁面４３の上部に係合部４５が形成され、該係合部４５は弾性部品４６を具え、該弾性部品４６の前方にブロック体４７がある。
【００１３】
上述のプラグ本体５０の前面に二つの金属片５１があり、且つ二つの金属片５１はプラグ本体５０の後面に延伸され、導線接続に用いられる。プラグ本体５０の両側及び底部には翼部５２と凸塊５３がある。このほか、該プラグ本体５０の上面には弾性片体５４があり、該弾性片体５４に溝孔５５が開設され、該弾性片体５４の後方両側に楔形ブロック５６がある。
【００１４】
本発明は更に該弾性片体５４との結合に用いられる押しボタン６０を具えている。該押しボタン６０の底部には溝ブロック６１があり、該溝ブロック６１の前端にフック部６２がある。
【００１５】
図３、５、６に示されるように（並びに図１、２も参照されたい）。本発明はプラグ本体５０がスライドシート４０に置かれ、該プラグ本体５０の凸塊５３がスライドシート４０の溝孔４２に嵌合され、両側の翼部５２がスライドシート４０両側の壁面４３に接合され、またプラグ本体５０の二つの金属片５１がスライドシート４０後端面の矩形孔４４に対応し、図５、６に示されるようであり、続いてスライドシート４０の底部と後端の壁面４３の二つの係合部４５がケース１０の上面に挿入されて側面の二つの位置決め部１３に挿入され、係合部４５の弾性部品４６とブロック体４７が位置決め部１３の水平アームと垂直アームに固定され、同時にスライドシート４０とプラグ本体５０がケース１０内部に位置づけられ、プラグ本体５０の二つの金属片５１及び弾性片体５４の溝孔５５がケース１０の孔と溝１１にアラインさせられ、最後に押しボタン６０の溝ブロック６１がケース１０の溝１１を通過し更に押圧され弾性片体５４の溝孔５５に圧入され、溝ブロック６１のフック部６２が溝孔５５に固定され、プラグ装置（Ｂ）がケース１０両側に組み合わされ、本発明のプラグ装置（Ｂ）と電子製品（Ａ）の組合せが完成する。
【００１６】
図３、４に示されるように（並びに図２も参照されたい）、本発明は使用上、手動で押しボタン６０を押動し、押しボタン６０によりプラグ本体５０の翼部５２と凸塊５３をスライドシート４０の両側壁面４３及び溝孔４２内において前向きに移動させ、プラグ本体５０のプラグ５１をケース１０の孔１２より伸出させる。プラグ本体５０の移動の過程で、楔形ブロック５６はその斜面によりケース内部上面下方の位置決めフック部１４を超過し、楔形ブロック５６が該位置決めフック部１４を超過した瞬間、弾性片体５４自身の弾性により楔形ブロック５６がもとの位置に回復し、位置決めフック部１４に係止され、これによりプラグ本体５０は後方に移動不能となり、これにより二つの金属片のケース内への縮入も不能となる。金属片５１をケースに縮入させたい時は、使用者は押しボタン６０を加圧するだけで、プラグ本体５０の上面の弾性片体５４の楔形ブロック５６がケース１０の位置決めフック部１４を離脱し、更に押しボタン６０が後方に押され、押しボタン６０によりプラグ本体５０の翼部５２と凸塊５３がスライドシート４０の両側の壁面４３及び溝孔４２内を後ろ向きに移動し、プラグ本体５０の二つの金属片５１がケース１０の孔１２に縮入する。
【００１７】
以上は本発明の好ましい実施例の説明であって、本発明の実施範囲を限定するものではなく、本発明に基づきなしうる細部の修飾或いは改変は、いずれも本発明の請求範囲に属するものとする。
【００１８】
総合すると、本発明の構造は確実に予期された機能と目的を達成し、ゆえに本発明は特許法に規定される実用性、進歩性の要件を具備し、また、本発明に記載の構造及びその特徴はその出願前に同じ物品の公開使用或いは刊行物への記載がなく、ゆえに新規性を有している。
【図面の簡単な説明】
【００１９】
【図１】本発明の立体分解図である。
【図２】図１の部分拡大図である。
【図３】本発明の組合せ断面図である。
【図４】本発明の組合せ断面動作図である。
【図５】本発明のスライドシートとケースの底部組合せ図である。
【図６】本発明のスライドシートとケースの底部分解図である。
【符号の説明】
【００２０】
Ａ  電子製品            １０  ケース
１１  溝                １２  孔
１３  位置決め部        １４  位置決めフック部
２０  前ケース          ３０  後ろケース
Ｂ  プラグ装置          ４０  スライドシート
４１  プラットフォーム  ４２  溝孔
４３  壁面              ４４  矩形孔
４５  係合部            ４６  弾性部品
４７  ブロック体        ５０  プラグ本体
５１  金属片            ５２  翼部
５３  凸塊              ５４  弾性片体
５５  溝孔              ５６  楔形ブロック
６０  押しボタン        ６１  溝ブロック
６２  フック部
【図１】
2007059251.tif 000003
【図２】
2007059251.tif 000004
【図３】
2007059251.tif 000005
【図４】
2007059251.tif 000006
【図５】
2007059251.tif 000007
【図６】
2007059251.tif 000008